(57)【要約】【課題】  交流駆動式の電源工具に用いる利便性の高い交流供給システムを構築するのに有効な技術を提供する。【解決手段】  本発明の電動工具システム１００は、少なくとも、外部電源からの電力を蓄えるバッテリユニット１５０と、電動工具１０１に交流を供給するＤＣ−ＡＣコンバータユニット１６０と、電動工具１０１を収納する工具収納部１１５を兼ね備えた構成とされる。【選択図】      図３
2007015032.tif 000002
【特許請求の範囲】
【請求項１】
箱状の収納ケースに、交流駆動式の電動工具が取り付けられた電動工具付き収納ケースであって、
前記収納ケースは、電力を蓄える蓄電部と、前記蓄電部に蓄えられた電力を交流として前記電動工具に供給するべく当該電動工具に接続された交流供給部とを収納する構成であることを特徴とする電動工具付き収納ケース。
【請求項２】
請求項１に記載の電動工具付き収納ケースであって、
前記収納ケースは、更に前記蓄電部への充電を行う充電部を収納し、当該充電部は電源コードを通じて外部電源に接続される構成であることを特徴とする電動工具付き収納ケース。
【請求項３】
請求項１または２に記載の電動工具付き収納ケースであって、
前記交流供給部は、前記電動工具の電源接続用プラグを差し込み可能な交流供給用コンセントを備える構成であることを特徴とする電動工具付き収納ケース。
【請求項４】
請求項１〜３のいずれかに記載の電動工具付き収納ケースであって、
前記蓄電部は、直流駆動式の電動工具に取り付けられるバッテリを用いて構成されていることを特徴とする電動工具付き収納ケース。
【請求項５】
請求項１〜４のいずれかに記載の電動工具付き収納ケースであって、
前記収納ケースは、前記電動工具の全部または一部を収納可能な工具収納部を備え、当該工具収納部は、収納される前記電動工具の外形に倣った形状を有するとともに、収納ケース本体に対し着脱可能な構成であることを特徴とする電動工具付き収納ケース。
【請求項６】
ハウジング内に、交流駆動式の電動工具の全部または一部を収納する工具収納部と、外部電源を蓄電する蓄電部と、前記工具収納部に収納される前記電動工具に交流を供給する交流供給部とを備える構成であることを特徴とする電動工具システム。
【請求項７】
請求項６に記載の電動工具システムであって、
ハウジング内に、更に前記蓄電部への充電を行う充電部を備え、当該充電部は電源コードを通じて外部電源に接続される構成であることを特徴とする電動工具システム。
【請求項８】
請求項６または７に記載の電動工具システムであって、
前記交流供給部は、前記電動工具の電源接続用プラグを差し込み可能な交流供給用コンセントを備える構成であることを特徴とする電動工具システム。
【請求項９】
請求項６〜８のいずれかに記載の電動工具システムであって、
前記蓄電部は、直流駆動式の電動工具に取り付けられるバッテリを用いて構成されていることを特徴とする電動工具システム。
【請求項１０】
請求項６〜９のいずれかに記載の電動工具システムであって、
前記工具収納部は、収納される前記電動工具の外形に倣った形状を有するとともに、ハウジング本体に対し着脱可能な構成であることを特徴とする電動工具システム。
【発明の詳細な説明】
【技術分野】
【０００１】
本発明は、被加工材の加工作業を行う電動工具に関する。
【背景技術】
【０００２】
従来、例えば下記特許文献１には、交流を必要とする各種の駆動装置に電源を供給するための交流供給装置が開示されている。
【特許文献１】実開平６−００９３８６号公報
【発明の開示】
【発明が解決しようとする課題】
【０００３】
上記特許文献１には、各種の駆動装置に対し電源を供給する可能性が提示されているが、駆動装置として交流駆動式の電源工具を採用する場合には、作業者が当該電動工具を現場にて効率よく使用することが可能な利便性の高い交流供給システムを構築する要請が高い。
本発明は、かかる点に鑑みてなされたものであり、交流駆動式の電源工具に用いる利便性の高い交流供給システムを構築するのに有効な技術を提供することを課題とする。
【課題を解決するための手段】
【０００４】
上記課題を達成するため、各請求項記載の発明が構成される。なお、本発明は、交流駆動式の電動工具を対象としたものであって、この「電動工具」には、グラインダ、サンダ等の研削加工や研磨加工を行う工具、インパクトドライバ、ドリル、インパクトレンチ等の穴あけ加工や締付け加工を行う工具、丸鋸（マルノコ）等の切断加工を行う工具などが広く包含される。
【０００５】
（本発明の第１発明）
前記課題を解決する本発明の第１発明は、請求項１に記載の電動工具付き収納ケースである。
本発明のこの電動工具付き収納ケースは、箱状の収納ケースに、交流駆動式の電動工具が取り付けられた構成を有する。すなわち、本発明では、これら収納ケース及び電動工具が互いに専用化された構成とされる。
本発明の収納ケースは、蓄電部及び交流供給部を少なくとも収納する構成とされる。従って、この収納ケースがその他の収納領域を有していてもよい。本発明の蓄電部は、電力を蓄える機能を有し、いわゆる「電池」ないし「バッテリ」を構成する。この蓄電部の構成に関しては、装着状態のままの蓄電部に充電手段を介して電力を蓄える構成や、蓄電部に予め蓄電された状態のものを蓄電後に装着する構成を採用することができる。本発明の交流供給部は、蓄電部に蓄えられた電力を交流として電動工具に供給するべく当該電動工具に接続された構成を有する。交流供給部と電動工具との接続に関しては、コンセントとプラグとの接続のように接続及び接続解除が容易とされた構成であってもよいし、或いは電動工具の電源コード自体が交流供給部側に一体状に連結された構成であってもよい。
請求項１に記載の電動工具付き収納ケースのこのような構成によれば、特に、蓄電部及び交流供給部を備える収納ケースに、交流駆動式の電動工具を取り付けることで、電動工具を収納ケースごと運搬することができ、これによって利便性の高い交流供給システムを提供することが可能となる。
【０００６】
（本発明の第２発明）
前記課題を解決する本発明の第２発明は、請求項２に記載の電動工具付き収納ケースである。
本発明のこの電動工具付き収納ケースは、請求項１に記載の構成において、更に充電部を収納するとともに、当該充電部は電源コードを通じて外部電源に接続される。この充電部は、蓄電部への充電を行う機能を有する。ここでいう「外部電源」として、家庭用電源、他の交流供給装置や発電装置、バッテリなどを用いることができる。
従って、請求項２に記載の電動工具付き収納ケースのこのような構成によれば、装着状態のままの蓄電部に電源コード及び充電部を介して電力を蓄えることが可能となり、蓄電部に電力を蓄える作業が容易になる。
なお、本発明において、電源コードを収納ケース内に収納可能に構成するのが好ましい。このような構成によれば、蓄電部に電力を蓄える作業においてのみ、収納ケースから電源コードを取り出し、それ以外の運搬時や工具使用等においては、電源コードを収納ケース内に収納することで、当該電源コードが作業の邪魔になるのを防止することが可能となる。
【０００７】
（本発明の第３発明）
前記課題を解決する本発明の第３発明は、請求項３に記載の電動工具付き収納ケースである。
本発明のこの電動工具付き収納ケースでは、請求項１または２記載の交流供給部は、電動工具の電源接続用プラグを差し込み可能な交流供給用コンセントを備える構成とされる。
従って、請求項３に記載の電動工具付き収納ケースのこのような構成によれば、電動工具のメンテナンス時等に、当該電動工具を必要に応じて収納ケース側から取り外すことができるため合理的である。
【０００８】
（本発明の第４発明）
前記課題を解決する本発明の第４発明は、請求項４に記載の電動工具付き収納ケースである。
本発明のこの電動工具付き収納ケースでは、請求項１〜請求項３のいずれかに記載の蓄電部は、直流駆動式の電動工具に取り付けられるバッテリを用いて構成される。
従って、請求項４に記載の電動工具付き収納ケースのこのような構成によれば、本来、直流駆動式の電動工具に装着される既存のバッテリを用いて蓄電部を構築することができるため、汎用性が高くコスト低減を図るのに有効である。
【０００９】
（本発明の第５発明）
前記課題を解決する本発明の第５発明は、請求項５に記載の電動工具付き収納ケースである。
本発明のこの電動工具付き収納ケースでは、請求項１〜請求項４のいずれかに記載の収納ケースは、電動工具の全部または一部を収納可能な工具収納部を備える構成とされる。ここでいう「電動工具の全部または一部を収納」には、工具収納部において電動工具に被収納体を載置する形態、引っ掛ける形態、挟持する形態、保持する形態などが広く包含される。そして、この工具収納部は、収納される電動工具の外形に倣った形状を有するとともに、収納ケース本体に対し着脱可能な構成とされる。すなわち、本発明では、工具収納部は、工具収納部上に電動工具を載置した際、電動工具の外周部分に密着する部位を有する構成とされる。また、本発明では、収納する電動工具に応じて工具収納部の形状を変更することが可能とされる。
従って、請求項５に記載の電動工具付き収納ケースのこのような構成によれば、工具収納部に電動工具の外周部分が密着することによって収納安定性を高めることができ、また収納する電動工具の種類によって工具収納部を個別に準備することによって、収納ケース本体側の形状を変更することなく対応が可能であるため、汎用性向上を図るのに有効とされる。
【００１０】
（本発明の第６発明）
前記課題を解決する本発明の第６発明は、請求項６に記載の電動工具システムである。
本発明のこの電動工具システムは、ハウジング内に、工具収納部、蓄電部及び交流供給部を少なくとも備える構成とされる。
本発明における工具収納部は、交流駆動式の電動工具の全部または一部を収納する機能を有する。電動工具の全部または一部を収納可能な工具収納部を備える構成とされる。ここでいう「電動工具の全部または一部を収納」には、工具収納部において電動工具に被収納体を載置する形態、引っ掛ける形態、挟持する形態、保持する形態などが広く包含される。本発明における蓄電部及び交流供給部は、請求項１に記載の電動工具付き収納ケースにおける蓄電部及び交流供給部と実質的に同様の構成とされる。工具収納部に収納される電動工具を含めて、本発明の電動工具システムを構成することもできる。
従って、請求項６に記載の電動工具システムのこのような構成によれば、蓄電部及び交流供給部からなるシステムに、更に工具収納部を追加することによって、必要に応じて当該工具収納部に電動工具を収納することができ、これによって利便性の高い交流供給システムを提供することが可能となる。
【００１１】
（本発明の第７発明）
前記課題を解決する本発明の第７発明は、請求項７に記載の電動工具システムである。
本発明のこの電動工具システムは、請求項６に記載のハウジング内に、更に蓄電部への充電を行う充電部を備え、当該充電部は電源コードを通じて外部電源に接続される構成とされる。本構成は、請求項２に記載の電動工具付き収納ケースにおける構成要素と実質的に同様の構成を有する。
従って、請求項７に記載の電動工具システムのこのような構成によれば、装着状態のままの蓄電部に電源コード及び充電部を介して電力を蓄えることが可能となり、蓄電部に電力を蓄える作業が容易になる。
【００１２】
（本発明の第８発明）
前記課題を解決する本発明の第８発明は、請求項８に記載の電動工具システムである。
本発明のこの電動工具システムでは、請求項６または請求項７に記載の交流供給部は、電動工具の電源接続用プラグを差し込み可能な交流供給用コンセントを備える構成とされる。本構成は、請求項３に記載の電動工具付き収納ケースにおける構成要素と実質的に同様の構成とされる。
従って、請求項８に記載の電動工具システムのこのような構成によれば、電動工具のメンテナンス時等に、当該電動工具を必要に応じてハウジング本体側から取り外すことができるため合理的である。
【００１３】
（本発明の第９発明）
前記課題を解決する本発明の第９発明は、請求項９に記載の電動工具システムである。
本発明のこの電動工具システムでは、請求項６〜請求項８のいずれかに記載の蓄電部は、直流駆動式の電動工具に取り付けられるバッテリを用いて構成される。本構成は、請求項４に記載の電動工具付き収納ケースにおける構成要素と実質的に同様の構成とされる。
従って、請求項９に記載の電動工具システムのこのような構成によれば、本来、直流駆動式の電動工具に装着される既存のバッテリを用いて蓄電部を構築することができるため、汎用性が高くコスト低減を図るのに有効である。
【００１４】
（本発明の第１０発明）
前記課題を解決する本発明の第１０発明は、請求項１０に記載の電動工具システムである。
本発明のこの電動工具システムでは、請求項６〜請求項９のいずれかに記載の工具収納部は、収納される電動工具の外形に倣った形状を有するとともに、ハウジング本体に対し着脱可能な構成とされる。本構成は、請求項５に記載の電動工具付き収納ケースにおける構成要素と実質的に同様の構成とされる。
従って、請求項１０に記載の電動工具システムのこのような構成によれば、工具収納部に電動工具の外周部分が密着することによって収納安定性を高めることができ、また収納する電動工具の種類によって工具収納部を個別に準備することによって、ハウジング本体側の形状を変更することなく対応が可能であるため、汎用性向上を図るのに有効とされる。
【発明の効果】
【００１５】
本発明によれば、交流駆動式の電源工具に用いる利便性の高い交流供給システムを構築することが可能となった。
【発明を実施するための最良の形態】
【００１６】
以下、本発明の「電動工具システム」の一実施の形態を図面に基づいて説明する。本発明の「電動工具システム」の一実施の形態である電動工具システム１００の構成を概略的に示す斜視図が図１〜図３に示される。特に、図１には工具収納時の形態が、図２には充電時の形態が、また図３には工具使用時の形態が示される。
【００１７】
なお、詳細については後述するが、本実施の形態におけるこの電動工具システム１００は、少なくとも、外部電源からの電力を蓄える蓄電機能と、電動工具に交流を供給する交流供給機能と、当該電動工具を収納する収納機能を兼ね備えた合理的なシステムとして構成される。従って、この電動工具システム１００を、「交流供給システム」、或いは「電動工具収納ケース」と云うこともできる。
また、この電動工具システム１００に収納される、交流駆動式の電動工具（後述する電動工具１０１）としては、交流によって駆動される電動工具であって、グラインダ、サンダ等の研削加工や研磨加工を行う工具、インパクトドライバ、ドリル、インパクトレンチ等の穴あけ加工や締付け加工を行う工具、丸鋸（マルノコ）等の切断加工を行う工具などを適宜採用することができる。
また、電動工具システム１００に電動工具を取り付けた形態が、本発明における「電動工具付き収納ケース」に相当する。
【００１８】
図１に示すように、電動工具システム１００は、その外観上、収納ケース本体１１０及び収納ケース蓋１２０を備える。これら収納ケース本体１１０及び収納ケース蓋１２０は、運搬性を考慮した場合、いずれも軽量の材料、例えば樹脂材料を用いて構成されるのが好ましい。この電動工具システム１００に、交流駆動式の電動工具（後述する電動工具１０１）を取り付けた形態によって、電動工具システムを構成することもできる。
【００１９】
収納ケース本体１１０の側面には、電源コード収納部１１１を開閉するスライド開閉式ないし回動開閉式の開閉扉１１２が設けられている。この電源コード収納部１１１には、後述する電源コード（電源コード１１３）が収納される。この収納ケース本体１１０が、本発明における「収納ケース」、「ハウジング」を構成する。
【００２０】
収納ケース蓋１２０は、既知の構成のヒンジ機構（図示省略）を介して収納ケース本体１１０に連結されており、当該収納ケース本体１１０の上面を開閉可能に構成されている。図１に示す工具収納時及び図２に示す充電時において、収納ケース蓋１２０を閉止状態に設定することができ、また図３に示す工具使用時において、収納ケース蓋１２０を開放状態に設定することができる。また、収納ケース蓋１２０の上面１２１には、表示用窓１２２が設けられている。この表示用窓１２２は、透明樹脂や透明ガラス等の透過性部材によって構成されており、収納ケース蓋１２０が閉止状態であっても、収納ケース本体１１０側に設けられたバッテリユニットの残容量表示部（後述する残容量表示部１５６）がこの表示用窓１２２を通じて透視可能とされる。
【００２１】
図２に示すように、収納ケース本体１１０の側面の開閉扉１１２を開放した状態では、収納ケース蓋１２０の開閉にかかわらず、電源コード収納部１１１に収納された電源コード１１３を引き出すことが可能とされる。この電源コード１１３のプラグ１１４を家庭用電源、他の交流供給装置や発電装置、バッテリなどに接続することによって、後述する充電ユニット（充電ユニット１４０）への充電が可能とされる。
【００２２】
図３に示すように、収納ケース本体１１０は有底の箱状に形成されており、この収納ケース本体１１０内に工具収納部１１５及び電源システム１３０が一体状に収納されている。この収納ケース本体１１０は、必要に応じて１または複数の部材からなる種々の箱状に構成される。
【００２３】
工具収納部１１５は、電動工具１０１を収納する空間部として構成されている。この工具収納部１１５が、本発明における「工具収納部」を構成する。従って、工具収納部１１５に収納された電動工具１０１を使用する場合は、工具収納部１１５から電動工具１０１を取り出し、その電源接続用プラグ１０２を後述するコンセント（ＡＣ出力用コンセント１６４）に差し込むことによって作業が可能とされる。また、この工具収納部１１５は、好ましくは電動工具１０１外形に倣った形状のインナー部材（「インナーケース」、「中敷き部材」ともいう）を有する構成とされる。このような構成により、当該インナー部材上に電動工具１０１を載置した際、当該ンナー部材が電動工具１０１の外周部分に密着することとなり、電動工具１０１の収納安定性が高まることとなる。また、この場合、このインナー部材を、収納する電動工具の種類によって個別に準備することによって、収納ケース本体１１０の形状を変更することなく対応が可能であるため、汎用性向上を図るのに有効とされる。
【００２４】
電源システム１３０は、充電ユニット１４０、バッテリユニット１５０及びＤＣ−ＡＣコンバータユニット１６０を少なくとも備える。バッテリユニット１５０は、外観上その上面に、残容量表示部１５６を有する。前述のように、収納ケース蓋１２０が閉止状態である場合には、このバッテリユニット１５０の残容量表示部１５６は表示用窓１２２を通じて透視可能とされるが、図３に示すように収納ケース蓋１２０が開放状態である場合には、残容量表示部１５６は直に視認可能とされる。また、ＤＣ−ＡＣコンバータユニット１６０は、外観上その上面に、ＡＣ出力用コンセント（コンセントプラグ）１６４及び切り替えスイッチ１６６を有する。図３に示す例では、ＡＣ出力用コンセント１６４が２つ設けられている。
【００２５】
ここで、図４には、本実施の形態の電源システム１３０の構成を示すブロック図が示される。
【００２６】
図４に示すように、充電ユニット１４０は、バッテリユニット１５０への充電を行うべく設けられる入力側のユニットであり、電源回路部１４２及び充電制御部１４４を少なくとも有する構成とされる。この充電ユニット１４０に関し、外部電源に接続される電源コード１１３は、充電制御部１４４によって制御される電源回路部１４２を介して、バッテリユニット１５０の電池部１５２に接続されるようになっている。従って、電源コード１１３を通じて供給される電力は、電源回路部１４２において整流され、電池部１５２に蓄電されることとなる。この充電ユニット１４０が、本発明における「充電部」を構成し、電源コード１１３が、本発明における「電源コード」に相当する。
【００２７】
また、バッテリユニット１５０は、蓄電に関する制御を行うべく設けられるユニットであり、電池部１５２、残容量監視部１５４及び残容量表示部１５６を少なくとも有する構成とされる。本実施の形態において、電池部１５２は、リチウムイオン電池からなるバッテリを複数個直列接続した構成を有する。各バッテリとして、直流駆動式の電動工具に用いられるバッテリを用い、交換可能に構成することができる。当該バッテリが、本発明における「直流駆動式の電動工具に取り付けられるバッテリ」に相当する。
このような構成によって、汎用性の高いバッテリユニットを構築することが可能となるとともに、蓄電機能が低下した場合には、電池部１５２自体を交換することが可能であり合理的である。この、バッテリユニット１５０が、本発明における「蓄電部」を構成する。
【００２８】
このバッテリユニット１５０において、電池部１５２に蓄電された電力の残容量は、残容量監視部１５４を介して残容量表示部１５６に表示される。この残容量表示部１５６では、電池部１５２の残容量が数値やインジケータなどを用いて出力表示される。また、本実施の形態では、電池部１５２の残容量が下側基準値に達すると、ランプ類やブザー類によって警報を出力する構成を適宜搭載することができる。また、本実施の形態では、電池部１５２の充電に関する情報を出力する表示ランプを設けることができ、この構成において、電池部１５２の上側基準値に達すると、充電中のランプ表示の色が、充電完了状態となったことを示すランプ表示の色に変化する、或いは消灯するように構成することができる。
【００２９】
また、ＤＣ−ＡＣコンバータユニット１６０は、電池部１５２に一旦蓄電された電力を、電動工具（図３中の電動工具１０１）を駆動するために取り出すべく設けられる出力側のユニットであり、ＤＣ−ＡＣコンバータ回路部１６２、ＡＣ出力用コンセント（コンセントプラグ）１６４、切り替えスイッチ１６６を少なくとも有する構成とされる。このＤＣ−ＡＣコンバータ回路部１６２において、電池部１５２の電力が直流（ＤＣ）から交流（ＡＣ）へと変換され、ＡＣ出力用コンセント１６４へと供給される。すなわち、このＤＣ−ＡＣコンバータ回路部１６２は、いわゆる「インバータ」を構成するものである。この際、ＤＣ−ＡＣコンバータ回路部１６２とＡＣ出力用コンセント１６４との接続状態（ＯＮ状態）と接続解除状態（ＯＦＦ状態）との切り替えが切り替えスイッチ１６６によって行われるように構成されている。このＤＣ−ＡＣコンバータユニット１６０が、本発明における「交流供給部」を構成し、ＡＣ出力用コンセント１６４が、本発明における「交流供給用コンセント」に相当する。
【００３０】
かくして、電動工具１０１を用いて作業を行うに際し、作業者は切り替えスイッチ１６６をＯＮ状態に設定した状態で、電動工具１０１の電源接続用プラグ１０２（本発明における「電源接続用プラグ」に相当）を、ＡＣ出力用コンセント１６４に差し込むことができる。そして、電動工具１０１による作業が終了すると、作業者は、電動工具１０１の電源接続用プラグ１０２をＡＣ出力用コンセント１６４から抜き出し、切り替えスイッチ１６６をＯＦＦ状態に切り替えることができる。なお、このＡＣ出力用コンセント１６４を、電動工具１０１の電源接続用プラグ１０２と切り離し可能に構成する以外に、ＤＣ−ＡＣコンバータ回路部１６２と電動工具１０１側の電源コードを直接的に接続する構成を採用することもできる。
【００３１】
一方、電動工具１０１を使用しない場合や充電操作を行う場合には、当該電動工具を前記構成の工具収納部１１５に収納することができる。この場合、収納ケース蓋１２０を閉止状態とすることで、収納ケース本体１１０の工具収納部１１５に収納された電動工具１０１や、電源システム１３０が外部から保護されることとなる。充電操作を行う場合には、作業者は、切り替えスイッチ１６６のＯＦＦ状態を確認した上で、電源コード収納部１１１から電源コード１１３を引き出し、当該電源コード１１３のプラグ１１４を所望の外部電源に差し込むことができる。
【００３２】
以上のように、本実施の形態によれば、特に、バッテリユニット１５０及びＤＣ−ＡＣコンバータユニット１６０を少なくとも備える電動工具システム１００に、交流駆動式の電動工具１０１を取り付けることで、電動工具１０１を電動工具システム１００ごと運搬することができる。また、少なくともバッテリユニット１５０及びＤＣ−ＡＣコンバータユニット１６０からなるシステムに、更に工具収納部１１５を追加することによって、必要に応じて当該工具収納部１１５に電動工具１０１を収納することができる。これによって利便性の高い交流供給システムを提供することが可能となる。
【００３３】
また、本実施の形態によれば、バッテリユニット１５０への充電を行う充電ユニット１４０は、電源コード１１３を通じて外部電源に接続されるため、装着状態のままのバッテリユニット１５０に電源コード１１３及び充電ユニット１４０を介して電力を蓄えることが可能となり、バッテリユニット１５０に電力を蓄える作業が容易になる。また、本実施の形態では、電源コード１１３を収納ケース本体１１０の電源コード収納部１１１内に収納可能に構成したため、充電時においてのみ、電源コード収納部１１１から電源コード１１３を取り出し、それ以外の運搬時や工具使用等においては、電源コード１１３を電源コード収納部１１１内に収納することで、当該電源コード１１３が作業の邪魔になるのを防止するのに有効である。
【００３４】
また、本実施の形態によれば、ＤＣ−ＡＣコンバータユニット１６０がＡＣ出力用コンセント１６４を備える構成によって、電動工具１０１のメンテナンス時等に、当該電動工具１０１を必要に応じて収納ケース側から取り外すことができ合理的である。
【００３５】
また、本実施の形態によれば、バッテリユニット１５０を、直流駆動式の電動工具に取り付けられるバッテリを用いて構成することによって、既存のバッテリを用いて蓄電部を構築することができるため、汎用性が高くコスト低減を図るのに有効である。
【００３６】
（他の実施の形態）
なお、本発明は上記実施の形態のみに限定されるものではなく、本実施の形態に基づいた種々の応用例や変更例を想到することができる。例えば、本実施の形態を応用した以下の形態を実施することもできる。
【００３７】
上記実施の形態では、電動工具１０１を収納する工具収納部１１５を有する電動工具システム１００について記載したが、本発明では、交流が供給される電動工具が必ずしも工具収納部に収納される必要はなく、当該電動工具の収納に適さない場合にあっては、工具収納部に当該電動工具を収納しない形態を採り得る。従って、本発明では、スライドマルノコ等の大型の電動工具のハウジング内に、工具収納部１１５のような工具収納部、バッテリユニット１５０のような蓄電部、ＤＣ−ＡＣコンバータユニット１６０のような交流供給部を少なくとも備える構成を採用することができる。
【００３８】
また、上記実施の形態では、電動工具１０１を工具収納部１１５のインナー部材上に載置して工具全体を収納する場合について記載したが、本発明の工具収納部における電動工具の収納形態は種々選択可能である。例えば、電動工具を、工具収納部において引っ掛ける形態、挟持する形態、保持する形態などを採用することもできる。この場合、電動工具の少なくとも一部が工具収納部に収納されれば足りる。
【００３９】
また、上記実施の形態では、装着状態のままのバッテリユニット１５０（電池部１５２）に充電ユニット１４０を介して電力を蓄える構成について記載したが、本発明では、充電ユニット１４０のような充電手段を省略し、バッテリユニットを収納ケース本体１１０に対し着脱可能としたうえで、当該バッテリユニットに予め蓄電された状態のものを蓄電後に、収納ケース本体１１０に装着する構成を用いることもできる。
【００４０】
また、上記実施の形態では、ＤＣ−ＡＣコンバータユニット１６０と電動工具１０１との接続に関しては、コンセントとプラグとの接続のように接続及び接続解除が容易とされた構成について記載したが、本発明では、電動工具１０１の電源コード自体がＤＣ−ＡＣコンバータユニット１６０側に一体状に連結された構成を採用することもできる。
【００４１】
また、本発明では、上記実施の形態の電動工具システム１００に対し他の機能を搭載することもできる。
例えば、電動工具システム１００の運搬を容易にするべく、当該電動工具システム１００を構成する収納ケース本体１１０に取っ手などの手段を適宜設けることができる。
また、バッテリユニット１５０の構成に関し、バッテリ（電池部１５２）の寿命を診断する寿命診断機能、バッテリの過充電を防止する過充電防止機能、バッテリの過放電を防止する過放電防止機能、バッテリ・回路における過負荷現象を防止する過負荷防止機能、バッテリ・回路における高温現象を防止する高温防止機能、出力電力を制限することで節電を行う節電機能などのうちの１または複数を、適宜搭載することができる。なお、これらの構成において、バッテリユニット１５０に関与する各機能や、当該機能に関する警報や報知を、数値やインジケータなどを用いて出力表示したり、ブザーや音声などを用いて出力することが可能である。数値やインジケータなどを用いた出力表示に関しては、前記構成の収納ケース蓋１２０に設けられた表示用窓１２２を兼用として用いてもよいし、或いは１または複数の機能ごとに、専用の表示用窓を準備してもよい。
【図面の簡単な説明】
【００４２】
【図１】本発明の「電動工具システム」の一実施の形態である電動工具システム１００の構成を概略的に示す斜視図であって、工具収納時の形態を示す図である。
【図２】本発明の「電動工具システム」の一実施の形態である電動工具システム１００の構成を概略的に示す斜視図であって、充電時の形態を示す図である。
【図３】本発明の「電動工具システム」の一実施の形態である電動工具システム１００の構成を概略的に示す斜視図であって、工具使用時の形態を示す図である。
【図４】本実施の形態の電源システム１３０の構成を示すブロック図である。
【符号の説明】
【００４３】
１００  電動工具システム
１０１  電動工具
１０２  電源接続用プラグ
１１０  収納ケース本体
１１１  電源コード収納部
１１２  開閉扉
１１３  電源コード
１１４  プラグ
１１５  工具収納部
１２０  収納ケース蓋
１２２  表示用窓
１３０  電源システム
１４０  充電ユニット
１４２  電源回路部
１４４  充電制御部
１５０  バッテリユニット
１５２  電池部
１５４  残容量監視部
１５６  残容量表示部
１６０  ＤＣ−ＡＣコンバータユニット
１６２  ＤＣ−ＡＣコンバータ回路部
１６４  ＡＣ出力用コンセント
１６６  切り替えスイッチ
【図１】
2007015032.tif 000003
【図２】
2007015032.tif 000004
【図３】
2007015032.tif 000005
【図４】
2007015032.tif 000006